Podtech/llm-jp-corpus-v4-ja_patent huggingface dataset:
【手続補正書】
【提出日】平成16年8月17日(2004.8.17)
【手続補正１】
【補正対象書類名】明細書
【補正対象項目名】特許請求の範囲
【補正方法】変更
【補正の内容】
【特許請求の範囲】
【請求項１】
Ｍｎ：１〜１．５wt％、Ｃｕ：０．０５〜０．２wt％を含有し、残部がアルミニウム及び不純物からなることを特徴とするリチウム電池用アルミニウム合金材。
【請求項２】
Ｍｎ：１〜１．５wt％、Ｃｕ：０．０５〜０．２wt％、Ｆｅ：０．４〜０．７wt％を含有し、残部がアルミニウム及び不純物からなることを特徴とするリチウム電池用アルミニウム合金材。
【請求項３】
不純物としてのＭｇの含有量が１０ｐｐｍ以下に規制されてなる請求項１または２に記載のリチウム電池用アルミニウム合金材。
【請求項４】
請求項１ないし３のいずれかに記載のアルミニウム合金材からなるアルミニウム合金箔の表面に、電極合剤をコーティングする工程と、１００〜２００℃の温度で乾燥する工程と、プレスする工程とを実施することを特徴とするリチウム電池用電極材の製造方法。
【請求項５】
前記乾燥工程において、１５〜３０分の時間で乾燥する請求項４に記載のリチウム電池用電極材の製造方法。
【請求項６】
前記プレス工程において、ロール圧延によりプレスする請求項４または５に記載のリチウム電池用電極材の製造方法。
【請求項７】
請求項４ないし６のいずれかに記載のリチウム電池用電極材の製造方法により製造されたリチウム電池用電極材。
【請求項８】
請求項１ないし３のいずれかに記載のアルミニウム合金材からなるアルミニウム合金箔の表面に、電極合剤がコーティングされていることを特徴とするリチウム電池用電極材。
【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
基板上に下地層を介して形成された少なくとも一層の磁性層で構成される記録膜を有する磁気記録媒体において、
前記記録膜を構成する磁性層の少なくとも一層が、コバルトを主成分とする合金からなり、かつ、添加元素としてクロムとゲルマニウムを含有し、更に、第３の添加元素として硼素あるいは燐を含有し、前記記録媒体に対する記録時の磁気ヘッドの相対的走行方向に磁界を印加して測定した前記記録膜の残留磁束密度Ｂｒと上記記録膜の厚さtの積Ｂｒ×tの値が１.６ｍＡ以上５ｍＡ以下であることを特徴とする磁気記録媒体。
【請求項２】
前記磁性層の少なくとも一層が、第４の添加元素として白金を含有していることを特徴とする請求項１に記載の磁気記録媒体。
【請求項３】
前記下地層が、少なくとも二層の下地層を積層した構造を有することを特徴とする請求項１または２に記載の磁気記録媒体。
【請求項４】
基板上に下地層を介して形成された少なくとも一層の磁性層で構成される記録膜を有する磁気記録媒体において、
前記記録膜を構成する磁性層の少なくとも一層が、１原子％以上１４原子％以下の濃度を有する硼素と、１５原子％以上２８原子％以下の濃度を有するクロムと、５原子％以上２２原子％以下の濃度を有するゲルマニウムとを有し、前記磁性層の少なくとも一層に含有される硼素の濃度とクロムの濃度の総和が２０原子％以上３２原子％以下であることを特徴とする磁気記録媒体。
【請求項５】
基板上に下地層を介して形成された少なくとも一層の磁性層で構成される記録膜を有する磁気記録媒体において、
前記記録膜を構成する磁性層の少なくとも一層が、１原子％以上１２原子％以下の濃度を有する燐と、１５原子％以上２８原子％以下の濃度を有するクロムと、５原子％以上２２原子％以下の濃度を有するゲルマニウムとを有し、前記磁性層の少なくとも一層に含有される燐の濃度とクロムの濃度の総和が２０原子％以上３２原子％以下であることを特徴とする磁気記録媒体。
【請求項６】
基板上に下地層を介して形成された少なくとも一層の磁性層で構成される記録膜を有する磁気記録媒体において、
前記記録膜を構成する磁性層の少なくとも一層が、１原子％以上１４原子％以下の濃度を有する硼素と、１５原子％以上２８原子％以下の濃度を有するクロムと、５原子％以上２２原子％以下の濃度を有するゲルマニウムと、２原子％以上１４原子％以下の濃度を有する白金とを有し、前記磁性層の少なくとも一層に含有されるゲルマニウムの濃度と白金の濃度の総和が１７原子％以上２４原子％以下であることを特徴とする磁気記録媒体。
【請求項７】
基板上に下地層を介して形成された少なくとも一層の磁性層で構成される記録膜を有する磁気記録媒体において、
前記記録膜を構成する磁性層の少なくとも一層が、１原子％以上１２原子％以下の濃度を有する燐と、１５原子％以上２８原子％以下の濃度を有するクロムと、５原子％以上２２原子％以下の濃度を有するゲルマニウムと、２原子％以上１４原子％以下の濃度を有する白金とを有し、前記磁性層の少なくとも一層に含有される燐の濃度とクロムの濃度の総和が２０原子％以上３２原子％以下であることを特徴とする磁気記録媒体。
【請求項８】
磁気記録媒体と、該磁気記録媒体を駆動する駆動部と、記録部と再生部からなる磁気ヘッドと、該磁気ヘッドを上記磁気記録媒体に対して相対運動させる手段と、ヘッドをランプさせる機構部と、該磁気ヘッドへの信号入力手段と該磁気ヘッドからの出力信号再生を行なうための記録再生信号処理手段とを有する磁気記憶装置において、
磁気ヘッドの再生部が互いの磁化方向が、外部磁界によって相対的に変化することによって、大きな抵抗変化を生じる複数の導電性磁性膜と、該導電性磁性膜の間に配置された導電性非磁性膜を含む磁気抵抗センサで構成され、かつ磁気記録媒体が請求項１から７までのいずれかに記載の磁気記録媒体であることを特徴とする磁気記憶装置。
【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】
レーザービームの照射により、記録層が相変化することによって情報の記録が行われる情報記録媒体であって、
溝深さｄｇの溝形状を有する基板と、上記溝形状を反映した形状の上記記録層との間に、上記基板に近い方から順に、第１干渉層、第２干渉層、第１界面層とを有し、
上記第１干渉層の熱伝導率は上記第２干渉層の熱伝導率よりも低く、上記第２干渉層の屈折率は上記第１干渉層の屈折率及び上記記録層の屈折率よりも小さく、
上記第１干渉層と上記記録層との間の距離が上記ｄｇ以下であり、
上記記録層の上記第１界面層と接する側とは反対側に、金属元素からなる熱拡散層と、上記記録層と上記熱拡散層との間に設けられた第３干渉層を有し、
上記記録層と上記熱拡散層との間の距離が上記ｄｇ以上であり、
上記第３干渉層と記録層の間に記録層と接して第２界面層を設けたことを特徴とする情報記録媒体。
【請求項２】
上記第１、第３干渉層はＺｎＳの組成比が５０％以上９０％以下であるＺｎＳとＳｉＯ２の混合物からなり、上記第２干渉層はＯ，Ｎ，Ｓ，Ｃの組成比の和をＸとした場合、Ｏの組成比がＸの５０％以上であり、Ａｌ，Ｓｉ，Ｍｇの組成比の和が１−Ｘの７０％以上であり、上記第１界面層は遷移金属元素の酸化物、若しくは窒化物、Ｓｉ，Ｇｅの窒化物、又はこれらを含有する混合物からなることを特徴とする請求項１に記載の情報記録媒体。
【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
計算機上の記憶手段に記憶され、デジタルデータ化され、かつ、表示装置に表示された第１の原画の輪郭をトレースするために、
前記記憶手段と前記表示装置とポインティングデバイスとに接続された演算装置において、前記第１の原画の輪郭上の第１の頂点を指定する前記ポインティングデバイスによる入力を受け付けるステップと、
該第１の頂点の位置と、該ポインティングデバイスが示す第２の位置と、前記第１の原画の輪郭とに基づいて、前記第１の頂点と前記第２の頂点との間のベジェ曲線を生成するステップとを有することを特徴とする図形作成方法。
【請求項２】
請求項１記載の図形生成方法であって、前記第１の頂点と前記第２の位置との間の経路を三次方程式で近似し、前記三次方程式の各項の係数をベジェ曲線の係数と比較の係数とを比較することによりベジェ曲線を定義するステップを有することを特徴とする図形作成方法。
【請求項３】
前記第１の頂点と現在のポインティングデバイスの位置との間の経路を最小自乗法を用いて三次方程式で近似することを特徴とする請求項２記載の図形作成方法。
【請求項４】
請求項１記載の図形生成方法であって、
前記第１の頂点と前記第２の頂点との間のベジェ曲線を生成するステップを複数の頂点間で繰り返すことにより前記輪郭をベジェ曲線でトレースするステップとを有することを特徴とする図形作成方法。
【請求項５】
請求項１記載の図形生成方法であって、
前記第１の頂点と前記第２の位置との間の経路を近似するベジェ曲線の候補を表示装置上に表示するステップを有することを特徴とする図形作成方法。
【請求項６】
請求項１記載の図形生成方法であって、
前記第１の原画について作成された第１のベジェ曲線と第２の原画とを表示装置上に重ねて表示するステップと、
前記ベジェ曲線と前記第２の原画とを表示装置上に重ねて表示された状態において、前記第２の原画の輪郭をトレースするように前記ベジェ曲線の頂点をポインティングデバイスでドラッグして変形操作を手動で行う際に、前記ポインティングデバイスが前記第１のベジェ曲線の頂点を選択してドラッグした場合に、該ポインティングデバイスの動きに合わせて前記頂点の位置を移動することにより図形変形処理を行うステップとを有することを特徴とする図形作成方法。
【請求項７】
前記頂点の移動に合せて該頂点のベジェコントロールポイントを移動するステップを有することを特徴とする請求項６記載の図形作成方法。
【請求項８】
請求項１記載の図形生成方法であって、
前記第１の原画について作成された第１のベジェ曲線と前記第２の原画とを表示装置上に重ねて表示するステップと、
前記ベジェ曲線と前記第２の原画とを表示装置上に重ねて表示された状態において、前記第２の原画の輪郭をトレースするように前記ベジェ曲線の頂点をポインティングデバイスでドラッグして変形操作を手動で行う際に、前記ポインティングデバイスによって示される位置と前記第１のベジェ曲線の頂点とが不一致と判断される場合には、前記ポインティングデバイスによって示される軌跡の各点から各々最も距離的に近く、かつ、前記輪郭画像を構成する複数の点の明度情報のうち所定のしきい値よりも低い明度最低の第１の点を求め、その第１の点の列からベジェ曲線を算出してそれを第２の原画をトレースする線とするステップとを有することを特徴とする図形作成方法。
【請求項９】
計算機上の記憶手段に記憶され、デジタルデータ化され、かつ、表示装置に表示された原画の輪郭をトレースするための図形作成方法であって、
前記記憶手段と前記表示装置とポインティングデバイスとに接続された演算装置により、位置を指定する前記ポインティングデバイスによる入力を受け付けるステップと、
ベジェ曲線と原画とが前記表示装置上に重ねて表示された状態において、前記ベジェ曲線の頂点をポインティングデバイスでドラッグして行うベジェ曲線の変形操作を手動で行うことにより変形後のベジェ曲線で前記原画の輪郭をトレースする処理の際に、前記ポインティングデバイスの現在位置を示す表示装置上のカーソル位置と前記前記ベジェ曲線の頂点とが不一致と判断され、かつ、前記ポインティングデバイスのボタンが押されている場合には、前記ポインティングデバイスのドラッグ操作中の前記カーソルの軌跡に基づいて前記ベジェ曲線を前記輪郭に吸着させる処理を行うステップとを有することを特徴とする図形作成方法。
【請求項１０】
計算機上の記憶手段に記憶され、デジタルデータ化され、かつ、表示装置に表示された原画の輪郭をトレースするために、前記記憶手段と前記表示装置とポインティングデバイスとに接続された演算装置により、位置を指定する前記ポインティングデバイスによる入力を受け付けるステップと、生成した多角形の各々の頂点（第１、第２、…第ｎ番目の頂点）を前記輪郭線上に重ねるように前記多角形を変形した後に、前記第１の頂点と前記第２の頂点との間のベジェ曲線を生成するステップとを有することを特徴とする図形作成方法。
【請求項１１】
計算機上の記憶手段に記憶され、デジタルデータ化され、かつ、表示装置に表示された原画の輪郭をトレースするための図形作成方法であって、
前記記憶手段と前記表示装置とポインティングデバイスとに接続された演算装置により、位置を指定する前記ポインティングデバイスによる入力を受け付けるステップと、
該ポインティングデバイスにより選択された複数の頂点を用いて生成した多角形の各々の頂点（第１、第２、…第ｎ番目の頂点）を前記輪郭線上に重ねるように前記多角形を変形するステップと、
前記第１の頂点と前記第２の頂点との間のベジェ曲線を生成するステップと、
前記ベジェ曲線の頂点をポインティングデバイスでドラッグして行うベジェ曲線の変形操作を手動で行うことにより変形後のベジェ曲線で前記原画の輪郭をトレースする処理の際に、前記ポインティングデバイスの現在位置を示す表示装置上のカーソル位置と前記前記ベジェ曲線の頂点とが不一致と判断され、かつ、前記ポインティングデバイスのボタンが押されている場合には、前記ポインティングデバイスのドラッグ操作中の前記カーソルの軌跡に基づいて前記ベジェ曲線を前記輪郭に吸着させる処理を行うステップとを有することを特徴とする図形作成方法。
【手続補正書】
【提出日】平成17年7月22日(2005.7.22)
【手続補正１】
【補正対象書類名】明細書
【補正対象項目名】特許請求の範囲
【補正方法】変更
【補正の内容】
【特許請求の範囲】
【請求項１】
軸線が傾斜して配置されているコイン送り出し用の回転ディスクと、前記回転ディスクの軸線をコイン貯留部に内包するコインタンクと、前記コインタンクと前記回転ディスクとに相対し、前記コインタンクから前記回転ディスク側に循環移動され、前記回転ディスクと前記コインタンクとの側方に位置する搬送手段と、よりなることを特徴とするコインホッパ。
【請求項２】
前記搬送手段は、循環移動する無端帯状体であって、コイン載置面が前記回転ディスク側に傾斜している突条を有していることを特徴とする請求項１のコインホッパ。
【請求項３】
前記回転ディスクよりも前記コインタンク側に筒状部を形成し、前記搬送手段からのコインをこの筒状部に保持することを特徴とする請求項１ないし２に記載のコインホッパ。
【請求項４】
前記コインタンクの底面は、前記搬送手段側に向かって下降する傾斜面が形成されていることを特徴とする請求項１ないし３に記載のコインホッパ。
【請求項５】
前記搬送手段の駆動源は前記回転ディスクと同一であることを特徴とする請求項１記載のコインホッパ。
【手続補正２】
【補正対象書類名】明細書
【補正対象項目名】０００６
【補正方法】変更
【補正の内容】
【０００６】
【課題を解決するための手段】軸線が傾斜して配置されているコイン送り出し用の回転ディスクと、前記回転ディスクの軸線をコイン貯留部に内包するコインタンクと、前記コインタンクと前記回転ディスクとに相対し、前記コインタンクから前記回転ディスク側に循環移動され、前記回転ディスクと前記コインタンクとの側方に位置する搬送手段と、よりなることを特徴とするコインホッパである。
【手続補正書】
【提出日】平成16年7月15日(2004.7.15)
【手続補正１】
【補正対象書類名】明細書
【補正対象項目名】特許請求の範囲
【補正方法】変更
【補正の内容】
【特許請求の範囲】
【請求項１】
グラフィカルユーザインタフェースにおいて多数のプリンタオプションを表示する方法（Ｐ１，Ｐ２）において、
第１の視覚可能なアフォーダンス（５５）を有する第１のディバイダ（５４）により分割される第１の部分（５０）および第２の部分（５２）に表示窓を分割するステップ（Ｓ１）と、
前記第１の部分（５０）におけるスクロール可能なフィーチャーのリスト（６４）をスクロールバー（６６）とともに表示するステップ（Ｓ１）であって、該フィーチャーのうち現在選択されている１つのフィーチャーが、前記リスト（６４）の選択されていないフィーチャーと、第１の視覚的に認識可能状態に区別され（Ｓ３）、前記リスト（６４）の選択された他のフィーチャーが、前記リスト（６４）の選択されていないフィーチャーと、第２の視覚的に認識可能状態に区別されるステップ（Ｓ１）と、
第２の視覚可能なアフォーダンス（６１）を有する第２のディバイダ（６０）により分割される第１のサブ部分（５６）および第２のサブ部分（５８）に前記第２の部分（５２）を分割するステップ（Ｓ１）と、
文書の選択されたページのプリントプレビューイメージ（６８）を前記第１のサブ部分（５６）に表示するステップ（Ｓ５）であって、前記選択されたページが、前記フィーチャーのうちの前記現在選択されている１つのフィーチャーを含むステップ（Ｓ５）と、
前記フィーチャーのうちの前記現在選択されている１つのフィーチャーのコントロールを前記第２のサブ部分（５８）に表示するステップ（Ｓ４）と
を有する表示方法。
【請求項２】
前記第１のアフォーダンス（５５）のユーザが指示する動きに応じて、前記第１の部分（５０）および第２の部分（５２）の相対サイズを調整するステップと、
前記第２のアフォーダンス（６１）のユーザが指示する動きに応じて、前記第１のサブ部分（５６）および第２のサブ部分（５８）の相対サイズを調整するステップと
をさらに含む請求項１に記載の表示方法。
【請求項３】
前記第１のディバイダ（５４）と、前記第２のディバイダ（６０）との連結部に第３のアフォーダンス（６２）を設けるステップと、
前記第３のアフォーダンス（６２）のユーザが指示する動きに応じて、前記第１の部分（５０）および第２の部分（５２）ならびに前記第１のサブ部分（５６）および第２のサブ部分（５８）の相対サイズを調整するステップと
をさらに含む請求項１または２に記載の表示方法。
【請求項４】
ユーザからのコマンド（Ｓ６）に応じて、前記フィーチャーのうちの前記現在選択されている１つのフィーチャーを別のフィーチャーに変更するステップ（Ｓ６）と、
前記リスト（６４）における前記別の現在選択されているフィーチャーを前記第１の視覚的に認識可能状態に表示するステップ（Ｓ７）と、
前記別のフィーチャーのコントロールを表示するように前記第２のサブ部分（５８）を変更するステップ（Ｓ８）と
をさらに含む請求項１〜３のいずれかに記載の表示方法。
【請求項５】
前記第２のサブ部分（５８）における前記コントロールから選択された、ユーザからのコマンドに応じて、プリント属性を変更するステップと、
前記第２のサブ部分（５８）における前記コントロールから選択されているユーザからのコマンドにしたがって、前記第１のサブ部分（５６）における前記プリントプレビューイメージ（６８）を修正するステップ（Ｓ９）と
をさらに含む請求項１〜４のいずれかに記載の表示方法。
【請求項６】
プリンタオプションを設定するグラフィカルユーザインタフェースをディスプレイ（２６）に表示させるコンピュータ可読コードが埋め込まれたコンピュータが使用可能な媒体であって、
前記グラフィカルユーザインタフェースは、
プリントフィーチャーのスクロール可能なリスト（６４）を表示する第１の部分（５０）と、
第２の部分（５２）と、
前記第１の部分（５０）および第２の部分（５２）に分割する第１のディバイダ（５４）と
を含み、
前記第２の部分（５２）は、
プリントプレビューイメージ（６８）を表示する第１のサブ部分（５６）と、
前記スクロール可能なリスト（６４）から選択されたフィーチャーのコントロールを表示する第２のサブ部分（５８）と、
前記第１のサブ部分（５６）および第２のサブ部分（５８）を分割する第２のディバイダ（６１）と
を含み、
前記製造物における前記コンピュータ可読プログラムコードは、
前記第１のアフォーダンス（５５）のユーザ調整に応じて、前記第１の部分（５０）および第２の部分（５２）の相対サイズを調整し、
前記第２のアフォーダンス（６１）のユーザ調整に応じて、前記第１のサブ部分（５６）および第２のサブ部分（５８）の相対サイズを調整し、
前記スクロール可能なリスト（６４）における新たにユーザにより選択されたフィーチャーを第１の視覚的に認識可能状態で表示させ、
前記新たにユーザにより選択されたフィーチャーに対応するプリントプレビューイメージ（６８）を、前記第１のサブ部分（５６）に表示し、
前記新たにユーザにより選択されたフィーチャーに対応するコントロールを、前記第２のサブ部分（５８）に表示すること
をフィーチャーとする
表示装置。
【請求項７】
前記コンピュータ可読プログラムコードは、さらに、前記第１のディバイダとともに、前記第１の部分および第２の部分の相対サイズのユーザ調整を可能にする第１のアフォーダンスを表示するように構成される
請求項６記載の表示装置。
【請求項８】
前記コンピュータ可読プログラムコードは、さらに、
前記第２のディバイダ（６０）とともに、前記第１のサブ部分（５６）および第２のサブ部分（５８）の相対サイズのユーザ調整を可能にする第２のアフォーダンス（６１）を表示し、
前記第１のディバイダ（５４）と第２のディバイダ（６０）との連結部にある第３のアフォーダンス（６２）のユーザ調整に応じて、前記第１の部分（５０）および第２の部分（５２）ならびに第１のサブ部分（５６）および第２のサブ部分（５８）の相対サイズを同時に調整する
ように構成される
請求項６または７記載の表示装置。
【請求項９】
前記コンピュータ可読プログラムコードは、さらに、
前記プリントプレビューイメージ（６８）と連動して、ページセレクタ（７０）を表示し、
前記ページセレクタ（７０）を用いて、ページのユーザ選択に応じて、前記プリントプレビューイメージ（６８）に表示される前記ページを文書中から選択する
ように構成される
請求項６〜８のいずれかに記載の表示装置。
【請求項１０】
前記コンピュータ可読プログラムコードは、さらに、
デフォルト設定から変更された前記スクロール可能なリスト（６４）においてフィーチャーを視覚的に区別できる
ように構成される
請求項６〜９のいずれかに記載の表示装置。
【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
コンピュータプログラムの命令を処理するシステムであって、
第１のステージにおける第１の命令と第２のステージにおける第２の命令とを同時に処理するように構成されており、該第１のステージは該第１の命令に関連する第１の属性データのセットを送信し該第１の命令に関連する第１の符号化レジスタ識別子を送信するよう構成され、該第２のステージは該第２の命令に関連する第２の属性データのセットを送信し該第２の命令に関連する第２の符号化レジスタ識別子を送信するよう構成されているパイプラインと、
前記第１のステージに結合され、前記第１の符号化レジスタ識別子を受信するよう構成され、該第１の符号化レジスタ識別子を復号化して第１の復号化レジスタ識別子にし、該第１の復号化レジスタ識別子を送信するよう構成された第１のデコーダと、
前記第２のステージに結合され、前記第２の符号化レジスタ識別子を受信するよう構成され、該第２の符号化レジスタ識別子を復号化して第２の復号化レジスタ識別子にし、該第２の復号化レジスタ識別子を送信するよう構成された第２のデコーダと、
前記第１および第２のデコーダとインタフェースされ、前記第１および第２の復号化レジスタ識別子を受信すると共に、前記第１および第２の属性データのセットを受信するよう構成され、該第１および第２の復号化レジスタ識別子と該第１および第２の属性データのセットとに基づいてデータハザードを検出するよう構成された比較ロジックと、
前記第１のデコーダおよび前記比較ロジックに結合され、前記第１の復号化レジスタ識別子および前記第１の属性データのセットを受信し、該第１の属性データのセットを該第１の復号化レジスタ識別子と組み合わせるよう構成された第１の属性インタフェースと、
前記第２のデコーダおよび前記比較ロジックに結合され、前記第２の復号化レジスタ識別子および前記第２の属性データのセットを受信し、該第２の属性データのセットを該第２の復号化レジスタ識別子と組み合わせるよう構成された第２の属性インタフェースと、を含むシステム。
【請求項２】
コンピュータプログラムの命令を処理する方法であって、
命令を処理システムのパイプラインに送信するステップと、
前記命令が前記パイプラインの第１の部分によって処理されている間に、該命令に関連する符号化レジスタ識別子を復号化して第１の復号化レジスタ識別子にするステップと、
該命令が該パイプラインの第２の部分によって処理されている間に、該符号化レジスタ識別子を復号化して第２の復号化レジスタ識別子にするステップと、
該命令に関連する第１の属性データのセットを送信するステップと、
該命令に関連する第２の属性データのセットを送信するステップと、
前記第１の復号化レジスタ識別子および前記第１の属性データのセットを、他の命令に関連する復号化レジスタ識別子および属性データと比較するステップと、
前記第２の復号化レジスタ識別子および前記第２の属性データのセットを、他の命令に関連する復号化レジスタ識別子および属性データと比較するステップと、
前記比較するステップに基づいてデータ従属性ハザードを検出するステップと、
前記第１の属性データのセットを前記第１の復号化レジスタ識別子と組み合わせるステップと、
前記第２の属性データのセットを前記第２の復号化レジスタ識別子と組み合わせるステップと、を含む方法。
【請求項３】
コンピュータプログラムの命令を処理する方法であって、
パイプラインの第１のステージにおいて、第１の符号化レジスタ識別子  に関連する、前記プログラムの第１の命令を処理するステップと、
第１のステージから第１の符号化レジスタ識別子を受け取るステップと、
受け取った第１の符号化レジスタ識別子を、第１の復号化レジスタ識別子に復号化するステップと、
前記第１の復号化レジスタ識別子と、前記第１の命令に関連する第１の属性データのセットを組み合わせて、第１の組み合わせたデータのセットを形成するステップと、
前記プログラムの第２の命令に関連する、第２の符号化レジスタ識別子を受け取るステップと、
受け取った第２の符号化レジスタ識別子を、第２の復号化レジスタ識別子に復号化するステップと、
前記第２の復号化レジスタ識別子と、前記第２の命令に関連する第２の属性データのセットを組み合わせて、第２の組み合わせたデータのセットを形成するステップと、
第１および第２の組み合わせたデータのセットを比較するステップと、
該比較するステップに基づいて、前記第１および第２の命令の中にデータハザードが存在するか否かを検出するステップと、を含む方法。
【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
コンピュータプログラムの命令を処理するシステムであって、
レジスタと、
コンピュータプログラムの命令を実行するよう構成され、第１のステージおよび第２のステージを有するパイプラインと、
前記レジスタから第１の述語値を読出すと共に、第２の述語値を受信するよう構成され、前記第２のステージにおける命令がストールしているか否かを検出するよう構成され、前記レジスタから読み出された前記第１の述語値を前記第１のステージに送信すると共に、前記第２のステージにおける前記命令がストールされているか否かに基づいて、前記第２の述語値および前記レジスタから読み出された前記第１の述語値の中から選択するように構成され、さらに前記選択された述語値を前記第２のステージに送信するよう構成される、回路と、
を含むシステム。
【請求項２】
レジスタと、
コンピュータプログラムの命令を実行するよう構成され、第１のステージおよび第２のステージを有するパイプラインと、
前記レジスタおよび前記第１のステージに結合され、少なくとも１つは前記レジスタから受信したものである第１の複数の述語値を同時に受信するよう構成され、前記第１の複数の述語値のうち１つを選択するよう構成され、さらに前記第１の複数の述語値のうち前記選択されたものを前記第１のステージに送信し、前記第１の複数の述語値の前記選択されたものを接続を介して送信するよう構成される第１の回路と、
前記接続および前記第２のステージに結合され、前記接続を介して送信された前記１つの述語値を含む第２の複数の述語値を同時に受信するよう構成され、前記第２の複数の述語値のうち１つを選択し、前記第２の複数の述語値のうち前記選択されたものを前記第２のステージに送信するよう構成され、前記第２のステージにおける命令がストールしているか否かを検出し、前記第２のステージにおける前記命令がストールされているか否かに基づいて、前記第２の複数の述語値のうち前記１つを選択するようさらに構成される第２の回路と、
を含むシステム。
【請求項３】
コンピュータプログラムの命令を処理する方法であって、
第１のステージおよび第２のステージを有するパイプラインを提供するステップと、
述語値を生成するステップと、
該述語値をレジスタに書込むステップと、
命令を受信するステップと、
制御信号を受信するステップと、
前記命令に含まれるレジスタ識別子に基づいて、前記レジスタから前記述語値を読出すステップと、
該読出しステップにおいて前記レジスタから読出された前記述語値を前記パイプラインの前記第１のステージに送信するステップと、
前記第１のステージに送信された前記述語値に基づいて、前記パイプラインの前記第１のステージを介して前記命令を処理するステップと、
新しい述語値を受信するステップと、
前記命令がストールされているか否かを検出するステップと、
前記制御信号に基づいて、前記新しい述語値と前記読出しステップにおいて前記レジスタから読出された前記述語値との中から選択するステップであって、該検出ステップに基づくステップと、
該選択ステップにおいて選択された前記述語値を前記パイプラインの前記第２のステージに送信するステップと、
該選択ステップにおいて選択された前記述語値に基づいて、前記第２のステージを介して前記命令を処理するステップと、
を含む方法。
【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
問題に対する１つまたは複数のソリューションを決定する装置であって、
（ａ）前記問題に関連する少なくとも１つのパスートのうちの所与のものの、少なくとも１つの経路のうちのいずれかにおいて、少なくとも１つのノードのうちの所与のものを処理する手段であって、該処理する手段は、さらに、
（ｉ）前記ノードのタイプが前提ノードである場合には前提を評価し、該前提がパスする場合には、該前提ノードをパスする手段と、
（ii）前記ノードのタイプが結論ノードである場合には結論をノートし、該結論の親ノードに関連する先行の結論を放置しつつ、該結論の親ノードに関連しない先行の結論を撤回し、その後、該結論ノードをパスする手段と、を備えており、
さらに、前記装置は、
（ｂ）前記少なくとも１つのノードのうちの前記所与のものがリーフノードではなく、かつ、パスするノードである場合には、該少なくとも１つのノードのうちの該所与のものの子ノードを処理する手段と、
（ｃ）前記子ノードを処理することができない場合に、判断経路を終了させる手段であって、ノートされているが撤回されてはいない結論総てをアサートすることを含む、手段と、
（ｄ）１つまたは複数の前記判断経路のうちの第２のものを作成する手段と、
を備える装置。
【請求項２】
コンピュータにより実施され、問題に対する１つまたは複数のソリューションを決定する方法であって、少なくとも１つのパスートのうちのいずれかにおいて、少なくとも１つの経路のうちの１つを横断して、１つまたは複数の判断経路を作成するステップを含み、該作成するステップは、さらに、
（ａ）前記少なくとも１つの経路のうちの前記１つにおいて、少なくとも１つのノードのうちの所与のものを処理するステップであって、
（ｉ）前記ノードのタイプが前提ノードである場合には前提を評価し、該前提がパスする場合には、該前提ノードをパスし、
（ii）前記ノードのタイプが結論ノードである場合には結論をノートし、該結論の親ノードに関連する先行の結論を放置しつつ、該結論の親ノードに関連しない先行の結論を撤回し、その後、該結論ノードをパスする、ステップと、
（ｂ）前記少なくとも１つのノードのうちの前記所与のものがリーフノードではなく、かつ、パスするノードである場合には、該少なくとも１つのノードのうちの該所与のものの子ノードを処理するステップと、
（ｃ）前記子ノードを処理することができない場合に、判断経路を終了するステップであって、ノートされているが撤回されてはいない結論総てを、前記問題に対する１つまたは複数のソリューションとしてアサートするステップと、
を含む、方法。
【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
コンピュータプログラムの命令を処理するコンピュータ・システムであって、
複数のレジスタと、
該レジスタにそれぞれ対応する複数の接続と、
前記命令を処理し実行するよう構成された少なくとも１つのパイプラインと、
前記複数の接続と前記少なくとも１つのパイプラインとに結合され、前記複数のレジスタにそれぞれ対応する複数のビットを有し、前記複数のレジスタの1つに対する書込み保留状態が存在するか否かを示す、前記ビットの各々を、前記複数の接続の異なるものを介して送信するスコアボードと、
前記命令の少なくとも1つに関連した、少なくとも1つの符号化レジスタ識別子を、前記複数のレジスタにそれぞれ対応する複数のビットを有し、前記複数のレジスタの少なくとも1つを識別する復号化レジスタ識別子へ復号化するように構成された復号回路と、
前記複数の接続の各々に結合され、前記送信されたビットの各々を、前記復号化レジスタ識別子のビットのそれぞれと比較し、前記送信されたビットの、前記復号化レジスタ識別子のビットとの比較に基づいてデータハザードを検出するよう構成された、ハザード検出回路と、を含み、
前記復号回路は、前記少なくとも１つのパイプラインから前記符号化レジスタ識別子を受け取り、復号化レジスタ識別子へ復号化するように構成され、さらに、復号化レジスタ識別子をハザード検出回路とスコアボードへ送信するように構成されたデコーダを含むコンピュータ・システム。
【請求項２】
コンピュータプログラムの命令を処理するシステムであって、
少なくとも1つのパイプラインと、
複数のレジスタと、
該レジスタの異なるものに各々が対応する複数の接続と、
複数のビットを保持し、該ビットを介して複数のレジスタのうちのどれが書込み保留状態に関連しているかを示す手段であって、複数のビットを複数の接続を介して送信するように構成され、複数の接続の各々により送信される各々のビットは、各々の接続に対応するレジスタが、書込み保留状態に関連しているかを示す手段と、
前記複数のビットと、前記少なくとも1つのパイプラインに現在存在する少なくとも1つの命令に関連する、復号化レジスタ識別子との比較を実行するように構成され、さらに、該比較に基づいて少なくとも1つのデータハザードを検出するよう構成された、ハザード検出回路と、
前記少なくとも１つのパイプラインから、前記少なくとも1つの命令に関連した符号化レジスタ識別子を受け取り、該符号化レジスタ識別子を、複数のレジスタの少なくとも1つを識別する、復号化レジスタ識別子へ復号化する手段であって、復号化レジスタ識別子を前記ハザード検出回路と前記保持手段へ送信するように構成された手段とを含むシステム。
【請求項３】
コンピュータプログラムの命令を処理する方法であって、
命令を少なくとも1つのパイプラインを介して処理するステップと、
複数のレジスタを提供するステップと、
各々が該レジスタのうちの１つにそれぞれ対応する複数のビットを、スコアボード内に保持するステップと、
各々が該レジスタのうちの１つにそれぞれ対応する複数の接続を提供するステップと、
前記ビットを介して、該レジスタのいずれが書込み保留状態に関連しているかを示すステップと、
前記複数の接続の異なるものを介して前記ビットの各々を、スコアボードから送信するステップと、
前記命令の少なくとも1つに関連した、少なくとも1つのレジスタ識別子を、前記複数のレジスタにそれぞれ対応する複数のビットを有し、前記複数のレジスタの少なくとも1つを識別する復号化レジスタ識別子へ、デコーダを介して復号化するステップと
前記送信されたビットの各々を、前記復号化レジスタ識別子のビットのそれぞれと比較するステップと、
該比較に基づいてデータハザードを検出するステップと、
前記復号化レジスタ識別子に基づいて、前記スコアボードビットのうちの1つを変更するステップと、
前記少なくとも1つのレジスタ識別子を、前記少なくとも1つのパイプラインから前記デコーダへ送信するステップと、
前記復号化レジスタ識別子を、前記デコーダから前記スコアボードへ送信するステップと、を含む方法。
【手続補正２】
【補正対象書類名】図面
【補正対象項目名】図３
【補正方法】変更
【補正の内容】
【図３】
2001209537.tif 000001
【手続補正書】
【提出日】平成16年7月8日(2004.7.8)
【手続補正１】
【補正対象書類名】明細書
【補正対象項目名】００３４
【補正方法】変更
【補正の内容】
【００３４】
この例では証明写真画像として使用する撮影領域は図２に示す被撮影者２０の背景を含めた顔画像の撮影領域よりも小さく設定するようになされる。換言すると、証明写真画像として使用する撮影領域よりも被撮影者２０の顔画像に背景を含めて大きく撮るようにする。設定手段３にはキーボードなどの入力ツールが使用され、オペレータによって証明写真の大きさが設定されたときに、制御手段４に対して領域設定信号Ｓ２が出力される。領域設定信号Ｓ２に基づいてメモリ上で証明写真画像として使用する画像取得情報をトリミングするためである。
【手続補正２】
【補正対象書類名】明細書
【補正対象項目名】０１０３
【補正方法】変更
【補正の内容】
【０１０３】
つまり、カメラ制御部２４では白板６０の輝度値を抽出しながら、予め準備された白板６０の基準輝度値と、抽出後の白板６０の輝度値とを常時比較し、この比較結果に基づいてカメラ１２のホワイトバランス調整部２６に利得調整信号Ｓ４を出力するようになされる。具体的には基準輝度値よりも抽出された白板６０の輝度値が低いときはホワイトバランス調整部２６の利得を高める方向に調整するような利得制御信号Ｓ４がカメラ制御部２４からホワイトバランス調整部２６へ出力される。その基準輝度値よりも抽出された白板６０の輝度値が高いときはホワイトバランス調整部２６の利得を低くする方向に調整するような利得制御信号Ｓ４が出力される。
【手続補正３】
【補正対象書類名】明細書
【補正対象項目名】０１１９
【補正方法】変更
【補正の内容】
【０１１９】
例えば、カメラ制御部２４では白マーク６１の輝度値を抽出しながら、予め準備された白マーク６１の基準輝度値と、抽出後の白マーク６１の輝度値とを常時比較し、この比較結果に基づいてカメラ１２のホワイトバランス調整部２６に利得調整信号Ｓ４を出力するようになされる。具体的には基準輝度値よりも抽出された白マーク６１の輝度値が低いときはホワイトバランス調整部２６の利得を高める方向に調整するような利得制御信号Ｓ４がカメラ制御部２４からホワイトバランス調整部２６へ出力される。その基準輝度値よりも抽出された白マーク６１の輝度値が高いときはホワイトバランス調整部２６の利得を低くする方向に調整するような利得制御信号Ｓ４が出力される。
【手続補正書】
【提出日】平成16年8月25日(2004.8.25)
【手続補正１】
【補正対象書類名】明細書
【補正対象項目名】発明の名称
【補正方法】変更
【補正の内容】
【発明の名称】デジタルパネル表示装置及びデジタルパネル表示方法
【手続補正２】
【補正対象書類名】明細書
【補正対象項目名】特許請求の範囲
【補正方法】変更
【補正の内容】
【特許請求の範囲】
【請求項１】
入力映像信号の情報量を、それよりも少ない情報量に変換して、デジタルパネルを駆動するデジタルパネル表示装置であって、
予め定められた複数の階調特性の組合せを選択制御することにより、前記デジタルパネルの駆動情報量よりも多い情報量を表示することを特徴とするデジタルパネル表示装置。
【請求項２】
入力映像信号の情報量を、それよりも少ない情報量に変換して、デジタルパネルを駆動するデジタルパネル表示装置であって、
予め定められた複数の階調特性の組合せを選択制御することにより、前記入力映像信号の情報量を表示することを特徴とするデジタルパネル表示装置。
【請求項３】
前記デジタルパネルは、液晶パネルであることを特徴とするデジタルパネル表示装置。
【請求項４】
入力映像信号の情報量を、それよりも少ない情報量に変換してデジタルパネルを駆動するデジタルパネル表示方法であって、
予め定められた複数の階調特性の組合せを選択制御することにより、前記デジタルパネルの駆動情報量よりも多い情報量の階調を表示することを特徴とするデジタルパネル表示方法。
【請求項５】
入力映像信号の情報量を、それよりも少ない情報量に変換してデジタルパネルを駆動するデジタルパネル表示方法であって、
予め定められた複数の階調特性の組合せを選択制御することにより、前記入力映像信号の情報量の階調を表示することを特徴とするデジタルパネル表示方法。
【請求項６】
前記デジタルパネルにはＲ、Ｇ、Ｂ信号が入力され、該Ｒ、Ｇ、Ｂ信号それぞれに対し階調特性を制御することを特徴とそる請求項１乃至３の何れかに記載のデジタルパネル表示装置。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
即ち、入力映像信号の情報量を、それよりも少ない情報量に変換して、デジタルパネルを駆動するデジタルパネル表示装置であって、予め定められた複数の階調特性の組合せを選択制御することにより前記デジタルパネルの駆動情報量よりも多い情報量を表示するようにした。
また、入力映像信号の情報量を、それよりも少ない情報量に変換して、デジタルパネルを駆動するデジタルパネル表示装置であって、予め定められた複数の階調特性の組合せを選択制御することにより、前記入力映像信号の情報量を表示するようにした。
また、前記デジタルパネルは、液晶パネルであることが好ましい。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００４１
【補正方法】変更
【補正の内容】
【００４１】
ここでは、解りやすいように、例として４種類の階調特性を使用したが、その他例として、たくさんの階調特性を用意し、表示させたい輝度に一番適した６ビット時のビット数と階調特性の組み合わせを選択すれば良いし、６ビット時のどのビットでいくつの階調特性を使用しても良く、最終的にきれいな２５６階調（８ビット）表示を実現できればよい。この方法によればフレームによる残像効果方法と異なり、フリッカーの課題は生じない。
【手続補正書】
【提出日】平成16年3月8日(2004.3.8)
【手続補正１】
【補正対象書類名】明細書
【補正対象項目名】特許請求の範囲
【補正方法】変更
【補正の内容】
【特許請求の範囲】
【請求項１】
半導体集積回路チップが実装され複数個のコネクタ端子が形成されたカード基板を有し、前記コネクタ端子をケーシングから露出するＩＣカードであって、
前記コネクタ端子は第１および第２の端子列が、ＩＣカード挿入方向の前後に隣合う形でかつ列相互間で前記端子列の配列方向にずらされて千鳥状に配置されて成り、
前記第１の端子列は電源電圧供給用のコネクタ端子を有し、
前記第２の端子列は、前記電源電圧供給用のコネクタ端子に隣接する部分と、前記電源電圧供給用のコネクタ端子の両サイドにある端子間領域に隣接する部分に、端子間領域を有することを特徴とするＩＣカード。
【請求項２】
半導体集積回路チップが実装され複数個のコネクタ端子が形成されたカード基板を有し、前記コネクタ端子をケーシングから露出するＩＣカードであって、
前記コネクタ端子はＩＣカード挿入方向の前後に形成された第１および第２の端子列を有し、第１の端子列に配置されたコネクタ端子の端子間領域の配列と第２の端子列に配置されたコネクタ端子の端子間領域の配列とが列方向で相互にずらされて成り、
前記第１の端子列は電源電圧供給用のコネクタ端子を有し、
前記第２の端子列は、前記電源電圧供給用のコネクタ端子に隣接する部分と、前記電源電圧供給用のコネクタ端子の両サイドにある端子間領域に隣接する部分に、端子間領域を有することを特徴とするＩＣカード。
【請求項３】
半導体集積回路チップが実装され複数個のコネクタ端子が形成されたカード基板を有し、前記コネクタ端子をケーシングから露出するＩＣカードであって、
前記コネクタ端子はＩＣカード挿入方向の前後に形成された第１および第２の端子列を有し、第１の端子列に配置されたコネクタ端子の列方配置と第２の端子列に配置されたコネクタ端子の列方向配置とが列方向で相互にずらされて成り、
前記第１の端子列は電源電圧供給用のコネクタ端子を有し、
前記第２の端子列は、前記電源電圧供給用のコネクタ端子に隣接する部分と、前記電源電圧供給用のコネクタ端子の両サイドにある端子間領域に隣接する部分に、端子間領域を有することを特徴とするＩＣカード。
【請求項４】
前記第２の端子列に配置されたコネクタ端子の列方向一端のコネクタ端子は前記第１の端子列に配置されコネクタ端子の列方向一端のコネクタ端子と列方向で隣合う位置まで延在され、
前記第２の端子列に配置されたコネクタ端子の列方向他端のコネクタ端子は前記第１の端子列に配置されコネクタ端子の列方向他端のコネクタ端子と列方向で隣合う位置まで延在されて成るものであることを特徴とする請求項２又は３記載のＩＣカード。
【請求項５】
前記コネクタ端子は２個の接地電圧供給用端子、及び１個のクロック信号入力用端子を含んで成るものであることを特徴とする請求項１乃至４記載の何れか１項記載のＩＣカード。
【請求項６】
前記コネクタ端子は、４ビット分のデータ用端子を含み、全部で９個設けられて成るものであることを特徴とする請求項５記載のＩＣカード。
【請求項７】
前記コネクタ端子は、８ビット分のデータ用端子を含み、全部で１３個設けられて成るものであることを特徴とする請求項５記載のＩＣカード。
【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
テクスチャ割込マネージャデーモンを使用するコンピュータ・グラフィックス・ハードウェア・システムにおいて、テクスチャの高速ダウンロードを行う方法であって、
（ａ）グラフィックＡＰＩが、アプリケーション・プログラムによって、有効なＡＰＩコールに応じて、テクスチャをグラフィックス・ハードウェアにロードするようにするステップと、
（ｂ）フラグをセットすることにより、テクスチャの存在と有効性をグラフィックス・ソフトウェアに記録するブックキーピング処理エントリを実行するステップと、を含み、テクスチャが必要とされたとき、グラフィックス・ライブラリ・ソフトウェアと前記テクスチャ割込マネージャデーモンが前記ブックキーピング処理エントリをチェックして、そのテクスチャがグラフィックス・ハードウェアから読み出されなければならないかどうかを判定することができる前記方法。
【請求項２】
前記ステップ（ａ）は、前記テクスチャのデータ標本を前記グラフィックス・ハードウェアにロードするステップを含む、請求項１記載の方法。
【請求項３】
前記ステップ（ｂ）は、前記テクスチャ割込マネージャデーモンおよび前記グラフィックスＡＰＩの両方からアクセスできる共用メモリ領域にフラグをセットするステップを含む、請求項２記載の方法。
【請求項４】
前記フラグをセットするステップは、変数を、前記グラフィックスＡＰＩによって保持された前記テクスチャ・データのコピーが最後に修正されてから、前記グラフィックス・ハードウェアの中に保持されたテクスチャ・データが変化したかどうかを示す値にセットするステップを含む、請求項３記載の方法。
【請求項５】
前記フラグが、前記グラフィックスＡＰＩによって保持された前記テクスチャ・データのコピーが最後に修正されてから、前記テクスチャ・データのコピーが変化したことを示す値を有するとき、前記グラフィックス・ハードウェアから前記テクスチャ・データを読み出すステップを更に含む、請求項４記載の方法。
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
電子装置のスロットに着脱自在に挿入可能なクランプ係合面を有する追加の回路カードを、該電子装置に固定するための固定装置において、
電子装置に移動可能に結合されたクランプであって、該クランプがカード解放位置からカード係合位置まで移動したときに、クランプ係合面上の力を電子装置のスロットに作用させ、クランプがカード係合位置からカード解放位置まで移動したときに、該力を解放するようにしたクランプと、
カード係合位置及びカード解放位置へのクランプの移動により閉成及び開放されて、回路カードへの信号及び電力供給を制御するスイッチと
を備えていることを特徴とする固定装置。
【手続補正書】
【提出日】平成16年3月11日(2004.3.11)
【手続補正１】
【補正対象書類名】明細書
【補正対象項目名】特許請求の範囲
【補正方法】変更
【補正の内容】
【特許請求の範囲】
【請求項１】
メモリレジスタ（１６）の選択を２つの数（ａ、ｂ）の和に基づいて行なう場合の選択速度を上げるレジスタ選択システム（４０）であって、
第１および第２のアドレス値（ａ、ｂ）を受け取るように構成された事前復号器（４１）であって、前記事前復号器（４１）は、前記値を処理して第１、第２、第３および第４の事前復号された値（ｚ00、ｚ01、ｚ10、ｚ11）を生成するように構成された事前復号器（４１）と、
前記事前復号された値（ｚ00、ｚ01、ｚ10、ｚ11）を受け取るように構成された復号アレー（４３）であって、前記復号アレー（４３）は前記事前復号された値（ｚ00、ｚ01、ｚ10、ｚ11）に基づいて、前記レジスタ（１６）のうちの１つを選択し、前記レジスタ（１６）の他のものを選択しない選択値（１５”）を生成するように構成された復号アレー（４３）と
を有し、
前記１つのレジスタ（１６）の前記選択は、加算演算を実行することなく、前記事前復号器（４１）と前記復号アレー（４３）の組み合わせによって行なわれる
レジスタ選択システム（４０）。
【請求項２】
メモリレジスタ（１６）の選択を２つの数（ａ、ｂ）の和に基づいて行なう場合の選択速度を上げるレジスタ選択システム（４０）であって、
第１および第２のアドレス値（ａ、ｂ）を受け取るように構成された事前復号器（４１）であって、前記事前復号器（４１）は、前記値を処理して第１、第２、第３および第４の事前復号された値（ｚ00、ｚ01、ｚ10、ｚ11）を生成するように構成された事前復号器（４１）と、
前記事前復号された値（ｚ00、ｚ01、ｚ10、ｚ11）を受け取るように構成された復号アレー（４３）であって、前記復号アレー（４３）は、前記事前復号された値（ｚ00、ｚ01、ｚ10、ｚ11）に基づいて、前記レジスタ（１６）のうちの１つを選択し、前記レジスタ（１６）の他のものを選択しない選択値（１５”）を生成するように構成された復号アレー（４３）と
を有し、
前記１つのレジスタ（１６）の前記選択は、加算演算を実行することなく、前記事前復号器（４１）と前記復号アレー（４３）の組み合わせによって行なわれ、
前記第１および第２のアドレス値（ａ、ｂ）は、ｎの幅を有し、前記第１の事前復号された値（ｚ00）は、ｎ＋１の幅を有し、前記第２および第３の事前復号された値（ｚ01、ｚ10）は、ｎの幅を有し、前記第４の事前復号された値（ｚ11）は、ｎ−１の幅を有し、前記選択された値（１５”）は、２n+1の幅を有する
レジスタ選択システム（４０）。
【請求項３】
メモリレジスタ（１６）の選択を２つの数（ａ、ｂ）の和に基づいて行なう場合の選択速度を上げるレジスタ選択方法であって、
第１および第２の値（ａ、ｂ）を事前復号し、第１、第２、第３および第４の事前復号された値（ｚ00、ｚ01、ｚ10、ｚ11）を生成するステップと、
事前復号時に、加算演算を実行することなく前記第１および第２の数の和が定数（Ｋ）に等しいことを判定するステップと、
事前復号時に、前記事前復号された値（ｚ00、ｚ01、ｚ10、ｚ11）に基づいて、前記レジスタ（１６）のうちの１つを選択し、前記レジスタ（１６）の他のものを選択しないステップと、
前記第１の事前復号された値（ｚ00）の幅をｎ＋１とするステップと、
前記第２および第３の事前復号された値（ｚ01、ｚ01）の幅をｎとするステップと、
前記第４の事前復号された値（ｚ11）の幅をｎ−１とするステップと、
前記選択値（１５”）の幅を２n+1とするステップ
とを有するレジスタ選択方法。